(57)【要約】【課題】  ガスコンセント装置において、ソケット取外しのための構造を簡略化するとともにソケット取り外し操作を簡単に行えるようにする。【解決手段】  ガスコンセント装置１は、壁Ｗに固定された取付板２と、取付板２に固定されるとともに、ソケット６が着脱可能に接続されるプラグ部３２を有するガス栓３と、取付板２に固定され、ガス栓３を覆うケース４と、ケース４の内側に配置されるとともに、ケース４にプラグ部３２の軸線方向に摺動可能に支持された可動部材５と、を備える。可動部材５が押圧部５２と操作部５１ａを有し、可動部材５の摺動過程での押圧部５２の移動軌跡上に、プラグ部３２に接続されたソケット６の進退スリーブ６１が配置される。可動部材５の操作部５１ａがソケット６の接続方向とは逆方向の力を受けた時に、押圧部５２がソケット６の進退スリーブ６１を押圧することにより、ソケット６とプラグ部３２の係合が解除される。【選択図】  図２
2020169729.tif 000002
【特許請求の範囲】
【請求項１】
ソケットが着脱可能に接続されるプラグ部を有するガス栓と、
前記ガス栓を覆うケースと、
前記ケースの内側に配置されるとともに、前記ケースに前記プラグ部の軸線方向に摺動可能に支持された可動部材と、
を備え、
前記可動部材が押圧部と操作部を有し、前記可動部材の摺動過程での前記押圧部の移動軌跡上に、前記プラグ部に接続されたソケットの先端部の進退スリーブが配置されるようになっており、
前記プラグ部に前記ソケットが接続される際に、前記ソケットの進退スリーブが前記押圧部に当たり、前記可動部材を前記ソケットの前記プラグ部への接続方向に摺動させ、
前記可動部材の前記操作部が前記接続方向とは逆方向の力を受けた時に、前記可動部材の押圧部が前記ソケットの進退スリーブを押圧することにより、前記ソケットと前記プラグ部の係合が解除されることを特徴とするガスコンセント装置。
【請求項２】
前記可動部材の前記操作部は、前記ソケットが前記プラグ部に接続された状態で前記ケースから露出していることを特徴とする請求項１に記載のガスコンセント装置。
【請求項３】
前記可動部材は、前記プラグ部の軸線方向に延びており、
前記押圧部は、前記可動部材における前記プラグ部側の一端部に形成され、前記操作部は前記可動部材における前記プラグ部から離れた他端部に形成されていることを特徴とする請求項２に記載のガスコンセント装置。
【請求項４】
前記プラグ部の軸線は上下方向に延び、前記プラグ部の先端は下を向いており、
前記可動部材は上下方向に摺動可能であるとともに、前記ケースに設けられた係止部により重力に抗して前記ケースに基準位置で支持されており、
前記ソケットを前記プラグ部に接続する際に、前記可動部材は前記ソケットにより前記基準位置から押し上げられ、前記操作部が前記ケースの上面から露出することを特徴とする請求項３に記載のガスコンセント装置。
【発明の詳細な説明】
【技術分野】
【０００１】
本発明は、ガス栓のプラグ部に接続されたソケットをプラグ部から取り外す構造を備えたガスコンセント装置に関する。
【背景技術】
【０００２】
建物の完成後に壁等の取付対象に増設されるガスコンセント装置は、壁に固定された取付板と、この取付板に固定されたガス栓と、このガス栓を覆うようにして取付板に固定されたケースを有している。
【０００３】
ガス栓には、迅速継手を介してガス燃焼器具が接続される。この迅速継手は、ガス栓のプラグ部と、ガス燃焼器具から延びる二次側ガス配管の先端に取り付けられたソケットにより構成されている。ソケットをプラグ部に接続した時にガス栓が開き、ソケットをプラグ部から外した時にガス栓が閉じられるようになっている。ソケットはその先端部に進退スリーブを有している。この進退スリーブは、ソケットの軸線方向に移動可能であり、ソケットがプラグ部に接続された時に前方に突出することにより、ソケットとプラグ部を係合させるようになっている。
【０００４】
ガス栓のプラグ部からソケットを取り外すためには、進退スリーブを後退させて、ソケットとプラグ部の係合状態を解除する必要がある。
下記特許文献１は、揺動リンクと操作ボタンからなるソケット取外し構造を備えている。この揺動リンクはガス栓に揺動可能に設けられている。
ソケットをプラグ部に接続した状態で、操作ボタンを押し込むと、操作ボタンが揺動リンクの一端部を押して揺動リンクを揺動させる。このとき揺動リンクの他端部がソケットの進退スリーブを押圧して後退させる。これにより、ソケットとプラグ部の係合が解除され、ソケットをプラグ部から取り外すことができる。
【先行技術文献】
【特許文献】
【０００５】
【特許文献１】特開２００７−２４２８４号公報
【発明の概要】
【発明が解決しようとする課題】
【０００６】
特許文献１のソケット取外し構造では、ソケットの取外しのための操作ボタンとソケットの進退スリーブとの間に揺動リンクが介在しており、構造が複雑で、製造費が嵩む。また、プラグ部の軸線が上下方向に延びその先端が下方を向いている場合には、操作ボタンもケースの下側に配置されているので、下側から操作ボタンを押し込む操作が面倒であった。
【課題を解決するための手段】
【０００７】
上記課題を解決するために、本発明のガスコンセント装置は、ソケットが着脱可能に接続されるプラグ部を有するガス栓と、前記ガス栓を覆うケースと、前記ケースの内側に配置されるとともに、前記ケースに前記プラグ部の軸線方向に摺動可能に支持された可動部材と、を備える。前記可動部材が押圧部と操作部を有し、前記可動部材の摺動過程での前記押圧部の移動軌跡上に、前記プラグ部に接続されたソケットの先端部の進退スリーブが配置されるようになっている。前記プラグ部に前記ソケットが接続される際に、前記ソケットの進退スリーブが前記押圧部に当たり、前記可動部材を前記ソケットの前記プラグ部への接続方向に摺動させる。前記可動部材の前記操作部が前記接続方向とは逆方向の力を受けた時に、前記可動部材の押圧部が前記ソケットの進退スリーブを押圧することにより、前記ソケットと前記プラグ部の係合が解除される。
【０００８】
上記構成によれば、可動部材の押圧部が、他の構成部材を介さずにソケットの進退スリーブを押圧してソケットを取り外すので、ソケット取り外しのための構造が簡単になり、製造費が低減される。また、ソケットの取り外し操作は、可動部材を摺動させるだけでよいので簡単である。さらに、ソケットを取り外すための可動部材の摺動方向は、ソケットが取り外される方向であるので、取り外し操作がわかりやすい。
【０００９】
好ましくは、前記可動部材の前記操作部は、前記ソケットが前記プラグ部に接続された状態で前記ケースから露出している。
上記構成によれば、ケースから露出した操作部により、ソケットのプラグ部への接続を確認できる。また、ケースから露出した操作部を押すことにより、ソケットの取り外し作業をより一層簡略化することができる。
【００１０】
好ましくは、前記可動部材は、前記プラグ部の軸線方向に延びており、前記押圧部は、前記可動部材における前記プラグ部側の一端部に形成され、前記操作部は前記可動部材における前記プラグ部から離れた他端部に形成されている。
上記構成によれば、押圧部及び操作部が、プラグ部の軸線方向に延びた可動部材の一端部及び他端部にそれぞれ形成されており、構造がより簡単である。
【００１１】
好ましくは、前記プラグ部の軸線は上下方向に延び、前記プラグ部の先端は下を向いており、前記可動部材は上下方向に摺動可能であるとともに、前記ケースに設けられた係止部により重力に抗して前記ケースに基準位置で支持されており、前記ソケットを前記プラグ部に接続する際に、前記可動部材は前記ソケットにより前記基準位置から押し上げられ、前記操作部が前記ケースの上面から露出する。
上記構成によれば、ソケットを取り外すために、ケースの上面から露出した操作部を下方に押し込めばよいので、ソケットの取り外し操作がより簡単である。
【００１２】
好ましくは、前記可動部材は、板形状をなすスライド部を有し、前記押圧部が前記スライド部の一端部から前記スライド部と直交する方向に突出するようにして一対形成され、前記スライド部の他端部が前記操作部として提供されており、前記ケースは横断面コ字形またはＵ字形をなす周壁と頂壁を備え、前記周壁は前記ガス栓の正面を覆う平板形状の正面壁部と、前記ガス栓の両側面を覆う両側壁部とを有し、前記ケースはさらに、前記正面壁部の内側において前記正面壁部と平行をなすガイド壁部を有し、これら正面壁部とガイド壁部との間に収容空間が形成され、前記ケースの頂壁には前記収容空間に連なる挿通孔が形成され、前記可動部材のスライド部が前記収容空間に摺動可能に収容され、前記操作部が前記挿通孔に挿通され、前記一対の押圧部が、前記プラグ部を挟むようにして前記取付板に向かって突出している。
上記構成によれば、板形状のスライド部を用いたので、可動部材を安定して支持することができるとともに、ケースの大型化を回避できる。可動部材の操作部がガス栓の手前に位置しているので、操作性が良い。一対の押圧部でソケットの進退スリーブを押すので、安定してソケットの取り外しを行なうことができる。
【発明の効果】
【００１３】
本発明によれば、可動部材の押圧部が、他の構成部材を介さずにソケットの進退スリーブを押圧するので、ソケット取り外しのための構造が簡単になり、製造費が低減される。また、ソケットの取り外し操作も簡単である。
【図面の簡単な説明】
【００１４】
【図１】本発明の第１実施形態に係るガスコンセント装置の、ソケットがガス栓に接続される前の状態を示し、（Ａ）は正面図、（Ｂ）はケース及び可動部材を断面にして示す右側面図である。
【図２】同実施形態のガスコンセント装置の、ソケットがガス栓に接続された状態を示し、（Ａ）は正面図、（Ｂ）はケース及び可動部材を断面にして示す右側面図である。
【図３】上記可動部材を組み込んだ上記ケースを、可動ケースが下方位置にある状態で示し、（Ａ）は正面側から見た斜視図、（Ｂ）は背面側から見た斜視図である。
【図４】上記可動部材を組み込んだ上記ケースを、可動ケースが上方位置にある状態で示し、（Ａ）は正面側から見た斜視図、（Ｂ）は背面側から見た斜視図である。
【図５】上記ケースと可動部材を分解して示す斜視図である。
【図６】上記ケースと可動部材を分解して示す縦断面図である。
【図７】（Ａ）は上記可動部材が組み付けられたケースの背面図、（Ｂ）は上記ガス栓が取り付けられた取付板の正面図である。
【発明を実施するための形態】
【００１５】
［第１実施形態］
以下、本発明の第１実施形態を、図１〜図７を参照して説明する。この実施形態は、本発明を、建物の壁Ｗ（取付対象）に増設されるガスコンセント装置に適用したものである。
図１に示すように、ガスコンセント装置１は、取付板２、ガス栓３、ケース４、及び可動部材５を備えている。
【００１６】
図７（Ｂ）に示すように、取付板２は正面視エの字型の金属製の板材からなり壁Ｗに固定されている。取付板２の上縁、左右両側縁、下縁には、壁Ｗと直交する切起こし片２１，２２，２３が設けられている。
【００１７】
図１（Ｂ）、図７（Ｂ）に示すように、ガス栓３は、直線状をなして連なる胴部３１とプラグ部３２とを有している。胴部３１を包囲する固定金具２５を取付板２にねじ止めすることにより、ガス栓３が取付板２に固定されている。
【００１８】
本実施形態では、胴部３１およびプラグ部３２の軸線は上下方向に垂直に延び、プラグ部３２の先端は下を向いている。胴部３１の上端接続口には一次側ガス配管（図示しない）が接続され、プラグ部３２には、ガス機器から延びる二次側ガス配管（図示せず）の先端に取り付けられたソケット６（図２にのみ示す）が着脱可能に接続されるようになっている。
【００１９】
ソケット６とガス栓３のプラグ部３２は、日本工業規格（ＪＩＳ  Ｓ  ２１３５）で定めるガス機器用迅速継手を構成している。簡単に説明すると、ソケット６は先端部から突出するとともに軸方向に所定範囲移動可能に設けられた進退スリーブ６１を有している。ソケット６をプラグ部３２に所定の接続位置まで外挿すると、進退スリーブ６１が初期位置からさらに突出し、これにより、ソケット６がプラグ部３２に係合（ロック）される。上記ソケット６の接続状態において、進退スリーブ６１を初期位置まで押し戻すと、プラグ部３２とソケット６との係合が解除され、ソケット６がプラグ部３２から外れる。
【００２０】
取付板２にはさらにケース４が固定されている。図５、図７（Ａ）に示すように、ケース４は、取付板２の上下の４つの角部を結んでできる矩形形状に対応して、背面視矩形状をなしている。ケース４は、横断面コ字形（またはＵ字形）をなす周壁４１を有している。周壁４１は、正面壁部４１ａと左右の側壁部４１ｂ，４１ｂとを有している。正面壁部４１ａは、平板形状をなし、ガス栓３の正面を覆っている。両側壁部４１ｂ，４１ｂは、ガス栓３の両側面を覆っている。両側壁部４１ｂ，４１ｂ間の距離は、取付板２側より正面壁部４１ａ側が狭く形成されている。
【００２１】
図３〜図５に示すように、周壁４１の上端は頂壁４２により塞がれている。頂壁４２には、挿通孔４２ａ及び切欠き４２ｂが形成されている。挿通孔４２ａは、後述する可動部材５のスライド部５１の外形に対応した形状になっている。図１、図２に示すように、切欠き４２ｂには、ガス栓３の胴部３１が貫通している。図３〜図５に示すように、周壁４１の下端は底壁４３により塞がれている。底壁４３には、プラグ部３２に接続する際にソケット６が通される通り穴４３ａが形成されている。底壁４３の縁部には、ケース４を取付板２に取り付けるための凸部４３ｂが設けられている。
【００２２】
ケース４の取付板２への固定は、その周壁４１の両側壁部４１ｂ，４１ｂの縁部、頂壁４２の縁部、底壁４３の縁部を取付板２の切起こし片２１，２２，２３に嵌め、図７（Ａ）に示す底壁４３の凸部４３ｂを、図７（Ｂ）に示す切起こし片２３に形成された穴２３ａに嵌め、頂壁４２に形成された穴４２ｃを貫通するネジを、切起こし片２１に形成されたネジ穴２１ａにねじ込むことによりなされる。
【００２３】
図６に示すように、ケース４は、正面壁部４１ａの内側に正面壁部４１ａと平行をなすガイド壁部４４と、ガイド壁部４４の両側部上部から正面壁部４１ａに向かって延びる補助ガイド壁部４５，４５とを有している。正面壁部４１ａ、ガイド壁部４４および補助ガイド壁部４５，４５との間には、可動部材５を摺動可能に収容する収容空間４６が形成されている。収容空間４６の下部は開放され、上部は前記頂壁４２の挿通孔４２ａに連なっている。ガイド壁部４４の収容空間４６側には、可動部材５の下方への移動を規制するための係止部４４ａが設けられている。
【００２４】
図５、図６に示すように、可動部材５は、側面視Ｌ字形をなしており、垂直に延びる正面視矩形の板形状をなすスライド部５１と、このスライド部５１の下端から取付板２に向かって水平に延びる左右一対の押圧部５２とを有している。スライド部５１の上端部は操作部５１ａとなっている。
【００２５】
スライド部５１の中間部には、正面視四角形の窓５１ｂが形成されている。窓５１ｂの上縁の外側（図６における左側）からは、係止爪５３が延びている。係止爪５３は、下方かつ内側（図６における右側）に向かって傾斜した傾斜部と、この傾斜部の下端から下方に延びる垂下部とを有している。この垂下部は、スライド部５１と平行をなしているとともに、スライド部５１の内側の面（図６右側の面）よりも突出している。
【００２６】
ケース４の収容空間４６には、可動部材５のスライド部５１が上下方向に摺動可能に収容されている。スライド部５１の操作部５１ａはケース４の頂壁４２の挿通孔４２ａに挿通されている。
【００２７】
スライド部５１を収容空間４６に挿入する際に、係止爪５３は弾性を伴ってガイド壁部４４の下端部を乗り越えるようになっている。
【００２８】
図１（Ｂ）に示すように、ソケット６がプラグ部３２に接続されていない状態では、可動部材５は自重により下方にあり、可動部材５の係止爪５３がガイド壁部４４の係止部４４ａに係止されることにより、可動部材５は重力に抗してケース４に支持されている。このときの可動部材５の位置を基準位置とする。基準位置において可動部材５はケース４に収容されており、操作部５１ａの頂面は、頂壁４２とほぼ面一をなしている。
【００２９】
図１、図２に示すように、基準位置にある可動部材５の押圧部５２はプラグ部３２側に位置しており、可動部材５の摺動過程での押圧部５２の移動軌跡上に、後述するようにしてプラグ部３２に接続されるソケット６の進退スリーブ６１が、配置されるようになっている。
【００３０】
ソケット６をプラグ部３２に接続するには、ソケット６をケース４の通り穴４３ａから上方に移動させる。すると、初期位置にあるソケット６の進退スリーブ６１が可動部材５の押圧部５２に当たり、可動部材５を押し上げる。ソケット６を可動部材５と一緒にさらに上方、すなわちソケット６のプラグ部３２への接続方向に移動させると、ソケット６は接続位置までプラグ部３２に外挿される。すると、進退スリーブ６１が上方に突出し、ソケット６とプラグ部３２が係合状態になる。
【００３１】
図２に示すように、ソケット６がプラグ部３２に接続され、進退スリーブ６１が上方に突出した状態において、可動部材５の操作部５１ａは、ケース４の頂壁４２から上方に突出している。
【００３２】
ソケット６をガス栓３のプラグ部３２から取り外す場合には、可動部材５の操作部５１ａを、下方、すなわち前記接続方向とは逆方向に押す。このとき、可動部材５の押圧部５２により、ソケット６の進退スリーブ６１は押圧され、初期位置へと後退する。その結果、ソケット６とプラグ部３２との係合が解除され、ソケット６はプラグ部３２から外される。
上記のように、ケース４から突出している操作部５１ａを押し下げるだけで、簡単にソケット６を外すことができる。しかも、この操作部５１ａの操作方向がソケット６が取り外される方向と同じであるので、取り外し操作がわかりやすい。
【００３３】
なお、本発明は、上記実施形態に限定されるものではなく、その要旨を逸脱しない範囲において各種の変形例を採用することができる。
上記実施形態において、押圧部は進退スリーブに対応して環状をなしていてもよい。
上記実施形態において、可動部材が基準位置のとき、操作部の頂部は頂壁とほぼ面一をなしているが、頂壁より下側になるようにしてもよい。
プラグ部の軸線は水平に延びていてもよい。この場合、可動部材は水平方向に摺動される。
可動部材は、取付板に摺動可能に支持されていてもよい。
【産業上の利用可能性】
【００３４】
本発明は、壁等に設置されるガスコンセント装置に適用することができる。
【符号の説明】
【００３５】
１    ガスコンセント装置
２    取付板
３    ガス栓
３２  プラグ部
４    ケース
４１  周壁
４１ａ  正面壁部
４１ｂ  側壁部
４２  頂壁
４２ａ  挿通孔
４４  ガイド壁部
４４ａ  係止部
４６  収容空間
５    可動部材
５１  スライド部
５１ａ  操作部
５２  押圧部
６    ソケット
６１  進退スリーブ
Ｗ    壁（取付対象）
【図１】
2020169729.tif 000003
【図２】
2020169729.tif 000004
【図３】
2020169729.tif 000005
【図４】
2020169729.tif 000006
【図５】
2020169729.tif 000007
【図６】
2020169729.tif 000008
【図７】
2020169729.tif 000009